(57)【要約】【課題】洗浄能力の高い食器洗浄機を提供する。【解決手段】洗浄槽１と、食器２ａを収納すると共に洗浄槽１内に配置される食器かご２と、洗浄水を加圧循環する洗浄ポンプ３と、洗浄水を加熱するヒータ４と、洗浄水を噴射する複数個の噴出孔５を有し、洗浄ポンプ３の吐出口８と連通したノズル軸受９に回転自在に軸支されたアームノズル１０と、アームノズル１０に回転自在に設けられた複数のノズル１１とを備え、ノズル１１は、アームノズル１０内に流れる洗浄水によって回転すると共に、食器２ａに向けて洗浄水を吹き出す噴射孔１３を有するもので、噴出孔５から吐き出される洗浄水の反動で回転するアームノズル１０に、食器に向けて洗浄水を噴出しながら回転するノズル１１が設けられているので、食器２ａに対して満遍なく洗浄水が吹き付けられ、高水準でしかも均一な洗浄力が得られものである。【選択図】図１
2006198052.tif 000002
【特許請求の範囲】
【請求項１】
洗浄槽と、食器を収納すると共に前記洗浄槽内に配置される食器かごと、洗浄水を加圧循環する洗浄ポンプと、前記洗浄水を加熱するヒータと、前記洗浄水を噴射する複数個の噴出孔を有し、前記洗浄ポンプの吐出口と連通したノズル軸受に回転自在に軸支されたアームノズルと、前記アームノズルに回転自在に設けられた複数のノズルとを備え、前記ノズルは、前記アームノズル内に流れる洗浄水によって回転すると共に、前記食器に向けて洗浄水を吹き出す噴射孔を有する食器洗浄機。
【請求項２】
ノズルを、略水平に回転自在となるようにアームノズルに設けた請求項１に記載の食器洗浄機。
【請求項３】
ノズルに略くの字状の壁を設け、前記壁でアームノズル内に圧送された洗浄水を受けて、前記ノズルが回転するようにした請求項１又は２に記載の食器洗浄機。
【請求項４】
ノズルに略長方形の壁を設け、前記壁でアームノズル内に圧送された洗浄水を受けて、前記ノズルが回転するようにした請求項１又は２に記載の食器洗浄機。
【発明の詳細な説明】
【技術分野】
【０００１】
本発明は、洗浄ノズルより食器に向けて洗浄水を噴射して食器を洗浄する食器洗浄機に関するものである。
【背景技術】
【０００２】
近年、洗浄槽内で回転するノズルから噴射される洗浄水によって食器かごに収納された食器を洗浄する食器洗浄機が主流となっている。
【０００３】
従来のこの種の食器洗浄機について、図６〜８を用いて説明する。
【０００４】
図６において、食器洗浄機は、洗浄槽１６と、食器１７ａを収納して洗浄槽１６内に配置されている食器かご１７を備え、食器１７ａは、洗浄ポンプ１８とヒータ１９によって加圧加熱された洗浄水の噴射を受けて洗浄される。２０は制御装置であり、給水、洗浄、すすぎ、排水、乾燥の食器洗浄機の一連の動作を制御している。
【０００５】
前記食器かご１７の下部空間に配置された洗浄ノズル２１は、食器かご１７に向けて洗浄水を噴射する噴出孔２２ａ、２２ｂ、２２ｃ、２２ｄを備えている。洗浄ノズル２１は、噴出孔２２ａ、２２ｂ、２２ｃ、２２ｄから噴出する洗浄水の反力によって略水平に回転しており、図７に示すような形状としているものである。つまり、回転方向に遅れた方向に湾曲あるいは屈曲した形状としている。また、２３は洗浄ノズル２１を回転自在に軸支するノズル軸受である。２４は、洗浄ノズル２１の回転時の噴出孔２２ａ、２２ｂ、２２ｃ、２２ｄによる噴出軌跡である。
【０００６】
食器１７ａを、食器かご１７に収納し、洗浄槽１６の所定の位置に装着して運転を開始すると、所定量の洗浄水を洗浄槽１６に供給する給水工程が実施される。続いて洗浄ポンプ１８が洗浄水を加圧し、洗浄ノズル２１の噴出孔２２ａ、２２ｂ、２２ｃ、２２ｄから加圧された洗浄水と洗剤が噴出される。つまり、本洗工程を実行する。
【０００７】
所定時間の本洗工程を終了すると、次に食器１７ａなどから洗い落とされた汚れを含む洗浄水を機外に排出する排水工程を実行する。この排水工程に引き続いて、新たに洗浄水を供給する給水工程と、本洗工程と、洗剤や残菜（食器に付着した汚れを残菜ともいう）で汚れた食器をすすぐために洗浄水を洗浄ノズル２１から噴出するすすぎ工程と、排水工程とが連続し、これらを数回繰り返して洗浄工程が終了する。
【０００８】
洗浄ノズル２１の噴出孔２２ｂ、２２ｃ、２２ｄは、噴出孔２２ａに対して遅れ角Ａ、Ｂを有する構成としているため、食器かご１７内の食器１７ａに対して、噴出孔２２ａ、２２ｂ、２２ｃ、２２ｄからの噴出洗浄水が同時に噴出されることはない（例えば、特許文献１参照）。
【０００９】
また、洗浄槽内に回転自在に設けられたアームに、凹部と、前記凹部の底面に形成された通水孔と、前記通水孔から噴射される洗浄水で回転されるプロペラを回転自在に設け、前記プロペラで洗浄水を撒き散らすようにしたものもある（例えば、特許文献２参照）。
【特許文献１】特開平７−２２７３７３号公報
【特許文献２】特許第３４８１１３５号公報
【発明の開示】
【発明が解決しようとする課題】
【００１０】
しかしながら、このような従来の食器洗浄機の構成では、洗浄ノズル２１から噴出される洗浄水の噴出軌跡２４が、図８に示すように一定となっているものである。つまり、特定の位置にセットした食器１７ａに対してだけ洗浄水が繰り返して噴出される形になっている。すなわち、食器かご１７により構成される食器収納領域（以下、洗浄領域と称する）には、洗浄水が直接食器に衝突する洗浄効果の高い洗浄領域と、間接的に衝突し洗浄効果が低い洗浄領域とが存在する。
【００１１】
従って、洗浄領域全体で所定の洗浄力を得るためには、洗浄効果の低い洗浄領域での洗浄力を高める必要があって、二次水流を十分確保しなければならないものである。換言すれば、噴出孔２２ａ、２２ｂ、２２ｃ、２２ｄからの噴出圧力と流量から算出されるエネルギを洗浄水道力と称すると、以上の理由によって従来の構成のものは、洗浄ノズル２１の所要洗浄水道力は過大なものとなっている。
【００１２】
ここで食器１７ａに、洗浄水が衝突するときの衝突音について考えると、前記噴出圧力と流量が大きければ大きいほど、この衝突音も大きくなるものである。実際には洗浄ノズル２１の噴出孔２２ａ、２２ｂ、２２ｃ、２２ｄどうしが近接していて配置されているために、一つの食器１７ａに、同時に複数個の噴出孔２２ａ、２２ｂ、２２ｃ、２２ｄからの洗浄水が衝突することになるものである。このため、洗浄水の衝突によって生ずる騒音は、高いピークを持って洗浄ノズル２１の回転とともに周期的に発生するものである。この運転中の洗浄騒音は、使用者にとってレベル的にも大きいし、感覚的にも大きく感じるものである。
【００１３】
さらにこれに付随して、大流量とした場合には、洗浄水の洗浄槽１６への衝突音、あるいはその滴下音が大きくなって、更に洗浄騒音が高くなるものである。
【００１４】
また、プロペラで洗浄水を撒き散らすようにした従来の食器洗い機では、洗浄水を文字通り撒き散らすだけで、食器類に付着した汚れが落ち難く、使い勝手が非常に悪いという課題があった。
【００１５】
本発明は前記従来の課題を解決するもので、食器類に対して高水準で均一な洗浄力が得られ、かつバランスの良い洗浄ノズル構成を有し、さらに洗浄騒音の低減を実現するとともに、コスト的に安い食器洗浄機を提供することを目的としている。
【課題を解決するための手段】
【００１６】
上記従来の課題を解決するために、本発明の食器洗浄機は、洗浄槽と、食器を収納すると共に前記洗浄槽内に配置される食器かごと、洗浄水を加圧循環する洗浄ポンプと、前記洗浄水を加熱するヒータと、前記洗浄水を噴射する複数個の噴出孔を有し、前記洗浄ポンプの吐出口と連通したノズル軸受に回転自在に軸支されたアームノズルと、前記アームノズルに回転自在に設けられた複数のノズルとを備え、前記ノズルは、前記アームノズル内に流れる洗浄水によって回転すると共に、前記食器に向けて洗浄水を吹き出す噴射孔を有するもので、噴出孔から吐き出される洗浄水の反動で回転するアームノズルに、食器に向けて洗浄水を噴出しながら回転するノズルが設けられているので、食器に対して満遍なく洗浄水が吹き付けられ、高水準も均一な洗浄力が得られ、かつバランスの良いアームノズル構成を有する食器洗浄機を提供することができる。またアームノズルの均一洗浄性による洗浄効率の向上により、その分洗浄ポンプの小型化及び洗浄騒音の低減が実現するとともに、コスト的に安い食器洗浄機を提供することができる。
【発明の効果】
【００１７】
本発明の食器洗浄機は、食器類に対して高水準で均一な洗浄力を得ることができ、かつバランスの良いアームノズル構成を有する食器洗浄機を提供することができる。
【発明を実施するための最良の形態】
【００１８】
第１の発明は、洗浄槽と、食器を収納すると共に前記洗浄槽内に配置される食器かごと、洗浄水を加圧循環する洗浄ポンプと、前記洗浄水を加熱するヒータと、前記洗浄水を噴射する複数個の噴出孔を有し、前記洗浄ポンプの吐出口と連通したノズル軸受に回転自在に軸支されたアームノズルと、前記アームノズルに回転自在に設けられた複数のノズルとを備え、前記ノズルは、前記アームノズル内に流れる洗浄水によって回転すると共に、前記食器に向けて洗浄水を吹き出す噴射孔を有するもので、噴出孔から吐き出される洗浄水の反動で回転するアームノズルに、食器に向けて洗浄水を噴出しながら回転するノズルが設けられているので、食器に対して満遍なく洗浄水が吹き付けられ、高水準も均一な洗浄力が得られ、かつバランスの良いアームノズル構成を有する食器洗浄機を提供することができる。またアームノズルの均一洗浄性による洗浄効率の向上により、その分洗浄ポンプの小型化及び洗浄騒音の低減が実現するとともに、コスト的に安い食器洗浄機を提供することができる。
【００１９】
第２の発明は、特に、第１の発明のノズルを、略水平に回転自在となるようにアームノズルに設けたもので、ノズルから吹き出される洗浄水が食器の全域にむら無く吹き付けられ、洗浄効率が良い。
【００２０】
第３の発明は、特に、第１又は第２の発明のノズルに略くの字状の壁を設け、前記壁でアームノズル内に圧送された洗浄水を受けて、前記ノズルが回転するようにしたもので、洗浄水を受ける壁が略くの字状になっているので、洗浄水を確実に受けることができ、アームノズル上のノズルの回転がスムーズで、洗浄効率が良いものである。
【００２１】
第４の発明は、特に、第１又は第２の発明のノズルに略長方形の壁を設け、前記壁でアームノズル内に圧送された洗浄水を受けて、前記ノズルが回転するようにしたもので、ノズルの金型構成が簡略化され、また、洗浄水を受けてノズルが回転する際の回転トルクが大きくなり、ノズルを確実に回転させる事ができる。
【００２２】
以下本発明の実施の形態について、図面を参照しながら説明する。なおこの実施の形態によって本発明が限定されるものでない。
【００２３】
（実施の形態１）
図１は、本発明の第１の実施の形態における食器洗浄機の概略構成を示す縦断面図、図２は、同食器洗浄機の洗浄ノズルの水平断面図、図３は、同食器洗浄機の洗浄ノズルの横断面図である。
【００２４】
図１に示すように、食器洗浄機は、洗浄槽１と、食器２ａを収納して洗浄槽１内に配置される食器かご２と、洗浄水を加圧循環する洗浄ポンプ３と、洗浄水を加熱するヒータ４と、洗浄水を噴射する複数個の噴出孔５を有する洗浄ノズル６を備え、食器２ａは、洗浄ノズル６によって、洗浄水の噴射を受けて洗浄される。
【００２５】
７は制御装置であり、給水、洗浄、すすぎ、排水、乾燥の食器洗浄機の一連の動作を制御している。前記洗浄ノズル６は、運転時の回転方向に対して遅れた方向に湾曲或いは屈曲した形状とし、前記洗浄ポンプ３の吐出口８と連通したノズル軸受９に回転自在に軸支され略水平に回転するアームノズル１０と、前記アームノズル１０上で、洗浄ポンプ３により加圧された洗浄水の流れによって略水平に回転する前記アームノズル１０とは別体で構成されたノズル１１を備え、前記アームノズル１０は、アームノズル１０と一体で構成された少なくとも一個の洗浄水を噴出する噴出孔５と、洗浄水を前記ノズル１１に導くガイド１２を設け、前記ノズル１１は、別体で洗浄水を噴出する複数個の噴射孔１３と、下部には、図２に示すように前記アームノズル１０内を圧送された洗浄水を受ける略くの字状の壁１４を設け、前記アームノズル１０上で前記ノズル１１が洗浄ポンプ３により加圧された洗浄水の流れによって略水平に回転するように構成されている。
【００２６】
以上のように構成された食器洗浄機について、以下その動作、作用を説明する。
【００２７】
食器２ａを、食器かご２に収納し、洗浄槽１の所定の位置に装着して運転を開始すると、所定のシーケンスに従って所定量の洗浄水を洗浄槽１に供給する給水工程が実施される。続いて洗浄ポンプ３が洗浄水を加圧し、洗浄水はその吐出口８を介して回転自在に設けたアームノズル１０に圧送され、アームノズル１０と一体で構成された少なくとも一個の洗浄水を噴出する噴出孔５より噴出される。
【００２８】
このとき、噴出孔５の少なくとも一個からの噴出洗浄水はその回転軌跡の略接線方向へ斜め上向きに噴出される。このときに生ずる噴射反力の水平成分によってアームノズル１０は回転軸Ｏ１を中心に時計方向に回転し、噴出孔５の回転軌跡上方の食器２ａ類に洗浄水を噴出する。同時に洗浄水は、アームノズル１０を経由してアームノズル１０に設けたガイド１２によって、ノズル１１の下部に設けた略くの字状の壁１４に洗浄水が当たりノズル１１自体が、回転軸Ｏ２を中心に公転する。
【００２９】
従って、ノズル１１に設けられた噴射孔１３が常に洗浄水の噴射方向を変化させながら洗浄水を噴出し、ノズル１１上方の食器２ａを洗浄する。つまり、本洗工程を実行する。所定時間の本洗工程を終了すると、次に食器２ａなどから洗い落とされた汚れを含む洗浄水を機外に排出する排水工程を実行する。
【００３０】
この排水工程に引き続いて、新たに洗浄水を供給する給水工程と、本洗工程と、洗剤や残菜（食器２ａに付着した汚れを残菜ともいう）で汚れた食器をすすぐために洗浄水を洗浄ノズル６から噴出するすすぎ工程と、排水工程とが連続し、これらを数回繰り返して洗浄工程が終了する。
【００３１】
以上、洗浄工程の基本的な動作は、従来の食器洗浄機と同様である。
【００３２】
以上のように、本実施の形態における食器洗浄機によれば、洗浄槽１と、食器２ａを収納して洗浄槽１内に配置されて食器かご２と、洗浄水を加圧循環する洗浄ポンプ３と、洗浄水を加熱するヒータ４と、洗浄水を噴射する複数個の噴出孔５を有する洗浄ノズル６とを備え、洗浄ノズル６は運転時の回転方向に対して遅れた方向に湾曲或いは屈曲した形状とし、前記洗浄ポンプ３の吐出口８と連通したノズル軸受９に軸支され略水平に回転するアームノズル１０と、前記アームノズル１０上で洗浄ポンプにより加圧された洗浄水の流れによって略水平に回転自在となるように前記アームノズル１０とは別体で構成されたノズル１１を備え、前記アームノズル１０はアームノズル１０と一体で構成された少なくとも一個の洗浄水を噴出する噴出孔５と、洗浄水を前記ノズル１１に導くガイド１２を設け、前記ノズル１１は別体で洗浄水を噴出する複数個の噴射孔１３と、下部には前記アームノズル１０管路内を圧送された洗浄水を受ける略くの字状の壁１４を設け、前記アームノズル１０上で前記ノズル１１が洗浄ポンプ３により加圧された洗浄水の流れによって略水平に回転自在となるように構成したことにより、ノズル１１に設けられた噴射孔１３が常に洗浄水の噴射方向を変化させながら洗浄水を噴出し、ノズル１１の上方の食器２ａを洗浄することができるため、食器２ａに対して高水準で均一な洗浄力を得ることができ、かつバランスの良いアームノズル構成を有する食器洗浄機を提供することができる。
【００３３】
また、本実施の形態では、ノズル１１の下部に、前記アームノズル１０内を圧送された洗浄水を受ける略くの字状の壁１４を設ける構成としたが、前記アームノズル１０上で前記ノズル１１が洗浄ポンプ３により加圧された洗浄水の流れによって略水平に回転自在となり、ノズル１１に設けられた噴射孔１３が常に洗浄水の噴射方向を変化させながら洗浄水を噴出し、ノズル１１の上方の食器２ａを洗浄することができる壁１４であれば本実施の形態で述べた例以外の形状でも良い。
【００３４】
また、洗浄ノズル６は、運転時の回転方向に対して遅れた方向に湾曲或いは屈曲した形状としたが、本実施の形態以外の形状でも良い。
【００３５】
また、洗浄ノズル６は、運転時の回転方向に対して遅れた方向に湾曲或いは屈曲した形状とし、洗浄ポンプ３の吐出口８と連通したノズル軸受９に軸支され略水平に回転する構成としたが、洗浄槽１に固定され回転しない洗浄ノズルに、上記ノズル１１を回転自在に設け、そのノズル１１の下部に、前記アームノズル内を圧送される洗浄水を受ける略くの字状の壁を設ける構成でも良い。
【００３６】
（実施の形態２）
図４は、本発明の第２の実施の形態における食器洗浄機の洗浄ノズルのノズルの平面図、図５は、同ノズルの側面図である。なお、上記第１の実施の形態と同一部分については、同一符号を付してその説明を省略する。
【００３７】
本実施の形態は、図４に示すように、ノズル１１の下部の外周部に、アームノズル１０内を圧送された洗浄水を受ける略長方形の壁１４を設け、前記アームノズル１０上でノズル１１が洗浄ポンプ３により加圧された洗浄水の流れによって略水平に回転するようにしたものである。
【００３８】
上記構成により、洗浄ポンプ３が洗浄水を加圧し、洗浄水はその吐出口８を介して回転自在に設けたアームノズル１０に圧送され、アームノズル１０と一体で構成された少なくとも一個の洗浄水を噴出する噴出孔５より噴出される。このとき、噴出孔５の少なくとも一個からの噴出洗浄水はその回転軌跡の略接線方向へ斜め上向きに噴出される。このときに生ずる噴射反力の水平成分によってアームノズル１０は、回転軸Ｏ１を中心に時計方向に回転し、噴出孔５の回転軌跡上方の食器２ａに洗浄水を噴出する。同時に洗浄水はアームノズル１０を経由してアームノズル１０に設けたガイド１２によって、ノズル１１の下部に設けた略長方形の壁１４に洗浄水が当たりノズル１１自体が回転軸Ｏ２を中心に公転する。従ってノズル１１に設けられた噴射孔１３が常に洗浄水の噴射方向を変化させながら洗浄水を噴出し、ノズル１１上方の食器２ａを洗浄する。
【００３９】
以上のように、本実施の形態における食器洗浄機によれば、ノズル１１の下部に設けられ、アームノズル１０内を圧送された洗浄水を受ける壁１４を、略長方形状としたので、ノズル１１の金型構成が簡略化され、また、洗浄水を受けてノズル１１が回転する際の回転トルクが大きくなり、ノズル１１を確実に回転させる事ができる。
【産業上の利用可能性】
【００４０】
以上のように、本発明にかかる食器洗浄機は、ノズルに設けられた噴射孔が常に洗浄水の噴射方向を変化させながら洗浄水を噴出して、ノズル上方の食器類を洗浄することができるため、食器類に対して高水準で均一な洗浄力を得ることができ、かつバランスの良いアームノズル構成となるもので、洗浄水を噴射して食器を洗浄する食器洗浄機に広く適用できる。
【図面の簡単な説明】
【００４１】
【図１】本発明の実施の形態１における食器洗浄機の概略構成を示す縦断面図
【図２】同食器洗浄機の洗浄ノズルの水平断面図
【図３】同食器洗浄機の洗浄ノズルの横断面図
【図４】本発明の実施の形態２における食器洗浄機の洗浄ノズルのノズルの平面図
【図５】同ノズルの側面図
【図６】従来の食器洗浄機の概略構成を示す縦断面図
【図７】同食器洗浄機の洗浄ノズルの平面図
【図８】同洗浄ノズルの動作を示す説明図
【符号の説明】
【００４２】
１  洗浄槽
２  食器かご
３  洗浄ポンプ
４  ヒータ
５  噴出孔
６  洗浄ノズル
８  吐出口
９  ノズル軸受
１０  アームノズル
１１  ノズル
１３  噴射孔
１４  壁
【図１】
2006198052.tif 000003
【図２】
2006198052.tif 000004
【図３】
2006198052.tif 000005
【図４】
2006198052.tif 000006
【図５】
2006198052.tif 000007
【図６】
2006198052.tif 000008
【図７】
2006198052.tif 000009
【図８】
2006198052.tif 000010